(57)【要約】【課題】紙葉類束の集積状態が乱れることを防止する。【解決手段】紙葉類処理装置（紙幣処理装置１０）は、紙葉類束を集積面２２１の上で積み重ねるよう構成された集積部（出金口ステージ２２、集積空間２３）と、紙葉類束を、集積部へ向かって、紙葉類束の積み重ね方向に交差する搬送方向に搬送するよう構成された搬送部４０と、紙葉類束の移動方向を、搬送方向から誘導方向に変化させて、集積済みの紙葉類束Ｂ１に積み重ねるよう構成された誘導部（傾斜板５１）と、を備えている。【選択図】図７
2018198015.tif 000002
【特許請求の範囲】
【請求項１】
紙葉類束を集積面の上で積み重ねるよう構成された集積部と、
前記紙葉類束を、前記集積部へ向かって、前記紙葉類束の積み重ね方向に交差する搬送方向に搬送するよう構成された搬送部と、
前記紙葉類束の移動方向を、前記搬送方向から誘導方向へと変化させて、集積済みの前記紙葉類束に積み重ねるよう構成された誘導部と、を備えている紙葉類処理装置。
【請求項２】
前記誘導部は、前記紙葉類束の姿勢を、前記搬送方向に沿う姿勢から前記誘導方向に沿う姿勢に変更するガイド部材を有している請求項１に記載の紙葉類処理装置。
【請求項３】
前記集積部は、略垂直方向に前記紙葉類束を積み重ね、
前記搬送部は、略水平方向に前記紙葉類束を搬送し、
前記誘導部は、略水平方向から斜め上方向へと前記紙葉類束の移動方向を変化させる請求項１又は２に記載の紙葉類処理装置。
【請求項４】
前記集積部は、前記紙葉類束を、装置内において収納する収納部である請求項１〜３のいずれか１項に記載の紙葉類処理装置。
【請求項５】
前記集積部は、前記紙葉類束を、装置の外に払い出す払出部である請求項１〜３のいずれか１項に記載の紙葉類処理装置。
【請求項６】
前記払出部は、前記紙葉類束を装置の外に開放する払出口を有し、
前記払出口は、積み重なっている前記紙葉類束の側方に設けられ、
前記集積面は、前記払出口に近い側の少なくとも一部が、前記払出口に遠い側よりも高く構成されている請求項５に記載の紙葉類処理装置。
【請求項７】
前記払出口は、前記集積部において積み重なっている前記紙葉類束よりも、前記紙葉類束の前記搬送方向の先側に設けられている請求項６に記載の紙葉類処理装置。
【請求項８】
前記集積面は、昇降ステージによって構成され、
前記昇降ステージは、前記紙葉類束が前記集積部に進入するときに、前記昇降ステージの上面の位置、又は、前記昇降ステージに積まれた前記紙葉類束の最上面の位置が、前記紙葉類束の進入位置に対して所定距離だけ低い特定位置になるように、昇降する請求項１〜７のいずれか１項に記載の紙葉類処理装置。
【請求項９】
前記搬送部は、
前記搬送方向に沿って伸びるよう構成された搬送路と、
前記搬送路における前記紙葉類束の後端に当たるよう構成された係合部と、
前記係合部が前記紙葉類束を前記集積部へ向かって押すように、前記係合部を動かすよう構成された駆動部と、を有し、
前記誘導部は、前記搬送路の端と前記集積部との間に配設されると共に、前記搬送路に対して傾いた誘導面を有している請求項１〜８のいずれか１項に記載の紙葉類処理装置。
【請求項１０】
前記集積部は、集積済みの前記紙葉類束と、前記集積部に進入してきた前記紙葉類束との間に位置し、積み重なろうとする前記紙葉類束を案内する補助ガイドを有している請求項１〜９のいずれか１項に記載の紙葉類処理装置。
【請求項１１】
前記補助ガイドは、積み重なろうとする前記紙葉類束に当たる案内位置と、前記紙葉類束に当たらない退避位置との間で動くよう構成されている請求項１０に記載の紙葉類処理装置。
【請求項１２】
前記紙葉類束は、重なっている複数の紙葉類を結束帯によって結束することによって構成されている請求項１〜１１のいずれか１項に記載の紙葉類処理装置。
【発明の詳細な説明】
【技術分野】
【０００１】
ここに開示する技術は、紙葉類処理装置に関する。
【背景技術】
【０００２】
特許文献１には、紙幣束を取り扱う紙幣処理装置が記載されている。紙幣処理装置は、紙幣束を収納する収納部の一つとして、他の収納部に収納することができない紙幣束を、積み重ねて収納するオーバーフロー収納部を備えている。オーバーフロー収納部は、底部が斜めに傾斜しており、紙幣束を斜めに傾いた状態で積み重ねるよう構成されている。オーバーフロー収納部はまた、その内部に、ガイド部を有している。ガイド部は、オーバーフロー収納部の上端に設けられた開口から内部に投入された紙幣束が落下する間に、紙幣束に当たることによって、紙幣束の姿勢を変更する。紙幣束が所定の姿勢で落下することにより、オーバーフロー収納部は、紙幣束を確実に積み重ねることができる。
【先行技術文献】
【特許文献】
【０００３】
【特許文献１】特開２０１５−８８１３７号公報
【発明の概要】
【発明が解決しようとする課題】
【０００４】
本願発明者らの検討によると、紙葉類束を積み重ねるよう構成された集積部においては、特許文献１に記載されている課題とは異なる、新たな課題が存在することがわかった。新たな課題とは、既に集積している紙葉類束の上に、新たな紙葉類束が積み重なろうとしたときに、既に集積している紙葉類束の結束帯と、これから積み重なろうとする紙葉類束とが干渉することによって、紙葉類束の集積状態が乱れてしまうことである。二つの紙葉類束の間の干渉は、結束帯と結束帯との間、又は、結束帯と紙葉類との間、又は、紙葉類と紙葉類との間（特に、紙葉類にスレッド等の凹凸部分が設けられている場合）において起こり得る。
【０００５】
紙葉類束同士の干渉に起因して、紙葉類束の集積状態が乱れてしまうという新たな課題は、前述した特許文献１に記載されている構成によっては解消することができない。
【０００６】
ここに開示する技術は、かかる点に鑑みてなされたものであり、その目的とするところは、紙葉類束の集積状態が乱れることを防止することにある。
【課題を解決するための手段】
【０００７】
具体的に、ここに開示する技術は、紙葉類処理装置に係る。紙葉類処理装置は、紙葉類束を集積面の上で積み重ねるよう構成された集積部と、前記紙葉類束を、前記集積部へ向かって、前記紙葉類束の積み重ね方向に交差する搬送方向に搬送するよう構成された搬送部と、前記紙葉類束の移動方向を、前記搬送方向から誘導方向へと変化させて、集積済みの前記紙葉類束に積み重ねるよう構成された誘導部と、を備えている。
【０００８】
この構成によると、集積部は、紙葉類束を集積面の上に積み重ねる。集積部に集積する紙葉類束は、搬送部が搬送方向に搬送することによって、集積部に向かう。搬送方向は、集積部における紙葉類束の積み重ね方向に交差する。
【０００９】
誘導部は、紙葉類束の移動方向を、搬送方向から誘導方向に変化させる。紙葉類束は、その後、紙葉類束に積み重なる。集積部において積み重なる紙葉類束の集積状態が乱れることを防止することができる。
【００１０】
前記誘導部は、前記紙葉類束の姿勢を、前記搬送方向に沿う姿勢から前記誘導方向に沿う姿勢に変更するガイド部材を有している、としてもよい。
【００１１】
紙葉類束の移動方向を搬送方向から誘導方向へと変化させると共に、ガイド部材が、集積部に進入する紙葉類束の姿勢を変更することによって、集積部において積み重なる紙葉類束の集積状態が乱れることを、より確実に防止することができる。
【００１２】
前記集積部は、略垂直方向に前記紙葉類束を積み重ね、前記搬送部は、略水平方向に前記紙葉類束を搬送し、前記誘導部は、略水平方向から斜め上方向へと前記紙葉類束の移動方向を変化させる、としてもよい。
【００１３】
こうすることで、略垂直方向に紙葉類束を積み重ねる集積部に対して、略水平方向に紙葉類束を搬送することにより、集積部に既に集積されている紙葉類束（第１の紙葉類束と呼ぶ）に、これから積み重なろうとする紙葉類束（第２の紙葉類束と呼ぶ）は、慣性力によって、第１の紙葉類束の上面に滑りながら移動をした後、第１の紙葉類束の上に積み重なる。
【００１４】
誘導部が、第２の紙葉類束の移動方向を、略水平方向から斜め上方向へと変化させることにより、慣性力によって移動をする第２の紙葉類束が第１の紙葉類束の上面に至るまでに、水平方向に移動する距離が長くなる。その結果、第２の紙葉類束が、第１の紙葉類束の上面に滑りながら移動をする距離が、短くなる。二つの紙葉類束の間での干渉を抑制することができ、集積部において積み重なる紙葉類束の集積状態が乱れることを防止することができる。
【００１５】
前記集積部は、前記紙葉類束を、装置内において収納する収納部である、としてもよい。尚、収納部は、収納した紙葉類束が繰り出し不可となる収納部としてもよい。この場合、紙葉類束の集積状態が乱れることが防止されるため、収納部の収納容量が減ってしまうことを防止することができる。また、収納部は、収納した紙葉類束が繰り出し可能となる収納部としてもよい。この場合、紙葉類束の集積状態が揃っているため、収納部から紙葉類束を繰り出すことを確実に行うことができる。
【００１６】
前記集積部は、前記紙葉類束を、装置の外に払い出す払出部である、としてもよい。
【００１７】
前記払出部は、前記紙葉類束を装置の外に開放する払出口を有し、前記払出口は、積み重なっている前記紙葉類束の側方に設けられ、前記集積面は、前記払出口に近い側の少なくとも一部が、前記払出口に遠い側よりも高く構成されている、としてもよい。
【００１８】
こうすることで、集積面の上で積み重なった紙葉類束は、払出口に近づく方向ではなく、払出口から離れる方向に傾きやすくなる。仮に集積面の上で積み重なった紙葉類束が崩れたとしても、払出口を通じて落下してしまうことを防止することができる。
【００１９】
前記払出口は、前記集積部において積み重なっている前記紙葉類束よりも、前記紙葉類束の前記搬送方向の先側に設けられている、としてもよい。
【００２０】
この構成によると、紙葉類束は、集積部に対して、払出口に向かう方向に進入するため、慣性力によって移動をして集積面の上で積み重なる紙葉類束は、払出口に近い位置において集積しやすくなる。
【００２１】
この構成において、前述の通り、集積面を払出口に近い側の少なくとも一部を、払出口に遠い側よりも高く構成することにより、集積面の上で積み重なった紙葉類束が、払出口の方に崩れてしまうことを防止することができる。
【００２２】
前記集積面は、昇降ステージによって構成され、前記昇降ステージは、前記紙葉類束が前記集積部に進入するときに、前記昇降ステージの上面の位置、又は、前記昇降ステージに積まれた前記紙葉類束の最上面の位置が、前記紙葉類束の進入位置に対して所定距離だけ低い特定位置になるように、昇降する、としてもよい。
【００２３】
こうすることで、集積部に進入する紙葉類束が、既に集積している紙葉類束の上に至るまでの高さ方向の距離が、集積面の上に積み重なっている紙葉類束の数にかかわらず、常に一定になる。紙葉類束を、既に集積している紙葉類束の上に適切に重ねることができ、紙葉類束は、揃った状態で積み重なる。
【００２４】
前記搬送部は、前記搬送方向に沿って伸びるよう構成された搬送路と、前記搬送路における前記紙葉類束の後端に当たるよう構成された係合部と、前記係合部が前記紙葉類束を前記集積部へ向かって押すように、前記係合部を動かすよう構成された駆動部と、を有し、前記誘導部は、前記搬送路の端と前記集積部との間に配設されると共に、前記搬送路に対して傾いた誘導面を有している、としてもよい。
【００２５】
こうすることで、駆動部が係合部を動かすことに伴い、係合部に押された紙葉類束が搬送路に沿って移動をする。紙葉類束は、搬送路の端と集積部との間に配設されている誘導面に沿って移動をし、このことにより、紙葉類束の移動方向及び姿勢が共に変化する。紙葉類束は誘導方向に移動をしながら集積部に進入する。このことによって、前述したように紙葉類束の集積状態が乱れることが防止される。
【００２６】
前記集積部は、集積済みの前記紙葉類束と、前記集積部に進入してきた前記紙葉類束との間に位置し、積み重なろうとする前記紙葉類束を案内する補助ガイドを有している、としてもよい。
【００２７】
補助ガイドが、これから積み重なろうとする紙葉類束を案内することによって、紙葉類束の集積状態の乱れが、より一層確実に、防止される。
【００２８】
前記補助ガイドは、積み重なろうとする前記紙葉類束に当たる案内位置と、前記紙葉類束に当たらない退避位置との間で動くよう構成されている、としてもよい。
【００２９】
こうすることで、補助ガイドは、不要なときには退避することができる。
【００３０】
前記紙葉類束は、重なっている複数の紙葉類を結束帯によって結束することによって構成されている、としてもよい。
【００３１】
前述した各構成は、重なっている複数の紙葉類を結束帯によって結束した紙葉類束の集積状態が乱れてしまうことを防止する上で、有効である。
【発明の効果】
【００３２】
以上説明したように、前記の紙葉類処理装置によると、紙葉類束の集積状態が乱れることを防止することができる。
【図面の簡単な説明】
【００３３】
【図１】図１は、紙幣処理システムの外観を例示する斜視図である。
【図２】図２は、紙幣処理装置の内部構成を例示する概略図である。
【図３】図３は、収納部が搬送部から紙幣束を受け取る動作について説明するための概略部分平面図である。
【図４】図４は、収納部が搬送部に紙幣束を引き渡す動作について説明するための概略部分縦断面図である。
【図５】図５は、出金処理における紙幣束の搬送経路を説明するための図２対応図である。
【図６】図６は、搬送ベルト及びフックの構成を説明するための図である。
【図７】図７は、集積部の上端部分を拡大して示す図である。
【図８】図８は、ガイド部材の構成を示す斜視図である。
【図９】図９は、図８とは異なる構成のガイド部材を示す図８対応図である。
【図１０】図１０は、図７とはガイド部材の配置が相違する構成例を示す図７対応図である。
【図１１】図１１は、補助ガイドを有する集積部の構成例を示す図７対応図である。
【図１２】図１２は、紙幣束を積み重ねるときの、補助ガイドの動作を説明する遷移図である。
【図１３】図１３は、出納機の紙幣束処理ユニットの内部構成を例示する概略図である。
【図１４】図１４は、紙幣束を例示する斜視図である。
【図１５】図１５は、ガイド部材を有しない従来構成の集積部を示す図７対応図である。
【発明を実施するための形態】
【００３４】
以下、紙葉類処理装置の実施形態を図面に基づいて詳細に説明する。以下の説明は、紙葉類処理装置の一例である。
【００３５】
（紙幣処理システム）
図１は、実施形態による紙幣処理システムの外観を例示している。この紙幣処理システムは、紙幣束を処理するものであり、情報端末１００と、紙幣処理装置１０とを備えている。紙幣処理装置１０は、紙葉類処理装置の一例である。尚、紙幣束Ｂは、図１４に示すように、複数の紙幣ＢＮと、複数の紙幣ＢＮを結束する結束帯ＢＵとによって構成されている。
【００３６】
〔情報端末〕
情報端末１００は、端末制御部２００と、操作部２０１と、読取部２０２と、記憶部２０３と、表示部２０４と、発行部２０５とを備えている。操作部２０１は、情報端末１００の操作者による操作に応じて情報を入力するように構成されている。この例では、操作部２０１は、複数の操作ボタンを有している。読取部２０２は、キャッシュカードなどの各種カードから情報を読み取るように構成されている。記憶部２０３は、情報を記憶するように構成されている。表示部２０４は、情報を表示するように構成されている。発行部２０５は、紙幣処理装置１０における紙幣束Ｂの処理（例えば出金処理や精査処理など）の履歴に関する情報が印字されたレシートを発行するように構成されている。端末制御部２００は、情報端末１００の各部（この例では、操作部２０１，読取部２０２，記憶部２０３，表示部２０４，発行部２０５）及び紙幣処理装置１０と通信可能に接続され、情報端末１００の各部を制御するように構成されている。例えば、端末制御部２００は、ＣＰＵなどの演算処理部と、演算処理部を動作させるためのプログラムや情報を記憶するメモリなどの記憶部とによって構成されている。
【００３７】
〔紙幣処理装置〕
図２は、紙幣処理装置１０の構成を例示している。この紙幣処理装置１０は、筐体２０と、１つまたは複数（この例では５つ）の第１収納部３０と、搬送部４０と、識別部５０と、１つまたは複数（この例では１つ）の第２収納部６０とを備えている。
【００３８】
〈筐体〉
筐体２０は、略直方体型の箱状に形成され、その内部に第１収納部３０と搬送部４０と識別部５０と第２収納部６０と制御部７０とを収容している。また、筐体２０には、出金口２１が設けられている。この例では、出金口２１は、筐体２０の正面中央上部に設けられて開閉シャッタで覆われている。また、出金口２１の近傍には、垂直方向に広がる集積空間２３が形成されている。集積空間２３の中に、出金口ステージ２２が設けられている。出金口ステージ２２は、出金口２１から払い出される紙幣束Ｂが載置されるように構成されている。また、出金口ステージ２２は、集積空間２３の中を上下方向に昇降可能に構成されている。尚、出金口ステージ２２は、昇降機構（図示を省略）によって上下方向に昇降される。出金口ステージ２２及び集積空間２３は、紙幣束Ｂを積み重ねるよう構成された集積部を構成する。集積部の構成の詳細は、後述する。
【００３９】
〈第１収納部〉
第１収納部３０は、紙幣束Ｂを収納するように構成されている。また、この例では、第１収納部３０は、紙幣処理装置１０に着脱可能に構成されている。具体的には、第１収納部３０は、上面が開口する直方体型の箱状に形成された収納カセットによって構成され、紙幣処理装置１０に抜き差し可能となっている。
【００４０】
また、第１収納部３０には、昇降ステージ３１と、昇降機構３２とが設けられている。昇降ステージ３１は、紙幣束Ｂが載置されるように構成されている。また、昇降ステージ３１は、上下方向に昇降可能に構成されている。昇降機構３２は、昇降ステージ３１を上下方向に昇降させるように構成されている。
【００４１】
〈搬送部〉
搬送部４０は、出金口２１と第１収納部３０とを接続する搬送路４１を有し、搬送路４１に沿って紙幣束Ｂを搬送するように構成されている。具体的には、搬送部４０は、搬送路４１の他に、搬送路４１を駆動させるための駆動機構などを有している。搬送部４０は、紙幣束Ｂの長手の縁を先頭にして紙幣束Ｂを搬送するよう構成されている。
【００４２】
〈識別部〉
識別部５０は、紙幣束Ｂに関する情報（紙幣束情報）を取得するように構成されて搬送路４１に配置されている。この例では、紙幣束情報は、紙幣束Ｂに含まれる紙幣に関する情報（紙幣情報）を含んでいる。具体的には、識別部５０は、紙幣束Ｂの上面を構成する紙幣及び紙幣束Ｂの下面を構成する紙幣のうち少なくとも一方の紙幣（この例では紙幣束Ｂの下面を構成する紙幣）に対して所定の処理を行い、その紙幣に関する情報（紙幣情報）を取得するように構成されている。紙幣束情報は、識別部５０（具体的には識別部５０の紙幣に対する所定の処理）によって取得された紙幣情報を含んでいる。例えば、識別部５０は、ラインセンサ，磁気センサ，画像センサなどの各種センサと、ＣＰＵなどの演算処理部と、演算処理部を動作させるためのプログラムや情報を記憶するメモリなどの記憶部とによって構成されている。
【００４３】
この例では、紙幣情報は、紙幣束Ｂに含まれる紙幣（この例では紙幣束Ｂの下面を構成する紙幣）に対して行われた識別処理の結果を含んでいる。識別処理では、金種識別，真偽識別，正損識別などが行われる。金種識別では、紙幣束Ｂに含まれる紙幣の通貨単位や金額などが識別される。真偽識別では、紙幣束Ｂに含まれる紙幣が真券に該当するのか偽券に該当するのかが識別される。正損識別では、紙幣束Ｂに含まれる紙幣が正券に該当するのか損券に該当するのかが識別される。具体的には、識別部Ｂは、紙幣束Ｂの上面を構成する紙幣及び紙幣束Ｂの下面を構成する紙幣のうち少なくとも一方の紙幣（この例では紙幣束Ｂの下面を構成する紙幣）に識別処理を行うように構成されている。紙幣情報は、識別部５０（具体的には識別部５０の識別処理）によって取得された識別処理の結果を含んでいる。
【００４４】
また、この例では、紙幣束情報は、紙幣束Ｂに対して行われた搬送状態識別処理の結果を含んでいる。搬送状態識別処理では、紙幣束Ｂの搬送状態が正常であるのか異常であるのかが識別される。具体的には、識別部５０は、紙幣束Ｂに対して搬送状態識別処理を行うように構成されている。紙幣束情報は、識別部５０（具体的には識別部５０の搬送状態識別処理）によって取得された搬送状態識別処理の結果を含んでいる。
【００４５】
尚、紙幣情報は、紙幣束Ｂに含まれる紙幣（この例では紙幣束Ｂの下面を構成する紙幣）に対して行われた撮像処理の結果を含んでいてもよい。撮像処理では、紙幣束Ｂに含まれる紙幣が撮像されてその紙幣の一部または全部を示す撮像画像が取得される。具体的には、識別部５０は、紙幣束Ｂの上面を構成する紙幣及び紙幣束Ｂの下面を構成する紙幣のうち少なくとも一方の紙幣（この例では紙幣束Ｂの下面を構成する紙幣）に撮像処理を行うように構成されていてもよい。紙幣情報は、識別部５０（具体的には識別部５０の撮像処理）によって取得された撮像処理の結果（すなわち紙幣の撮像画像）を含んでいてもよい。
【００４６】
また、紙幣情報は、紙幣束Ｂに含まれる紙幣（この例では紙幣束Ｂの下面を構成する紙幣）に対して行われた記番号読取処理の結果を含んでいてもよい。記番号読取処理では、撮像処理によって取得された紙幣の撮像画像（紙幣束Ｂに含まれる紙幣）から紙幣の記番号が読み取られる。具体的には、識別部５０は、撮像処理によって取得された紙幣の撮像画像（この例では紙幣束Ｂの下面を構成する紙幣の撮像画像）に対して記番号読取処理を行うように構成されていてもよい。紙幣情報は、識別部５０（具体的には識別部５０の記番号読取処理）によって取得された記番号読取処理の結果（すなわち紙幣の記番号）を含んでいてもよい。
【００４７】
また、この例では、紙幣束情報は、紙幣束Ｂの計数結果を含んでいる。具体的には、識別部５０は、識別部５０を通過する紙幣束を計数するように構成されている。紙幣束情報は、識別部５０によって取得された紙幣束Ｂの計数結果（すなわち紙幣束Ｂの数量）を含んでいる。尚、紙幣束Ｂの計数は、紙幣束Ｂの種類別（例えば金種別）に行われてもよい。
【００４８】
〈第２収納部〉
第２収納部６０は、紙幣束Ｂを収納するように構成されている。そして、第２収納部６０は、搬送路４１のうち出金口２１と識別部５０との間の搬送区間において搬送部４０と紙幣束Ｂの受け渡しを行う。また、この例では、第２収納部６０は、紙幣処理装置１０に着脱可能に構成されている。具体的には、第１収納部３０と同様に、第２収納部６０は、上面が開口する直方体型の箱状に形成された収納カセットによって構成され、紙幣処理装置１０に抜き差し可能となっている。
【００４９】
また、第１収納部３０と同様に、第２収納部６０には、昇降ステージ６１と、昇降機構６２とが設けられている。昇降ステージ６１は、紙幣束Ｂが載置されるように構成されている。また、昇降ステージ６１は、上下方向に昇降可能に構成されている。昇降機構６２は、昇降ステージ６１を上下方向に昇降させるように構成されている。
【００５０】
また、この例では、第２収納部６０は、第１収納部３０と共通の構成を有している。具体的には、第１収納部３０及び第２収納部６０は、共通の収納カセットによって構成されている。
【００５１】
〈第１収納部と搬送路と識別部と第２収納部の配置〉
ここで、第１収納部３０と搬送路４１と識別部５０と第２収納部６０の配置について説明する。この例では、出金口２１から筐体２０の背面に向かう方向（図２では左右方向）に沿うように、第２収納部６０及び第１収納部３０（この例では１つの第２収納部６０と５つの第１収納部３０）が一列に配置されている。尚、第２収納部６０は、出金口２１と第１収納部３０との間に配置されている。そして、識別部５０は、搬送路４１のうち第１収納部３０と第２収納部６０との境界部に対応する搬送区間に配置されている。
【００５２】
また、この例では、搬送路４１は、第２収納部６０及び第１収納部３０（詳しくは第２収納部６０の上面と第１収納部３０の上面）に沿うように出金口２１から筐体２０の背面へ向けて水平方向に延伸している。尚、第１収納部３０は、搬送路４１のうち第１収納部３０（具体的には第１収納部３０の上面）と対向する搬送区間において搬送部４０と紙幣束Ｂの受け渡しを行う。第２収納部６０は、搬送路４１のうち第２収納部６０（具体的には第２収納部６０の上面）と対向する搬送区間（すなわち出金口２１と識別部５０との間の搬送区間）において搬送部４０と紙幣束Ｂの受け渡しを行う。
【００５３】
〈搬送路の詳細〉
次に、搬送路４１について詳しく説明する。搬送路４１は、一対の搬送ベルト４２と、一対のプーリ４３と、複数のフック４４と、第１収納部３０及び第２収納部６０と同数（この例では６つ）の開閉板４５と、複数（この例では５つ）の仕切板４６とによって構成されている。
【００５４】
一対の搬送ベルト４２は、第１収納部３０の上方及び第２収納部６０の上方を通過するように出金口２１から筐体２０の背面まで水平に延伸している。一対のプーリ４３は、一方のプーリ４３が出金口２１の近傍に配置され、他方のプーリ４３が筐体２０の背面の近傍に配置されている。そして、一対のプーリ４３に搬送ベルト４２が掛け渡されている。複数のフック４４は、一対の搬送ベルト４２の延伸方向において所定の間隔をおいて配置されるように一対の搬送ベルト４２の外周面に突設されている。搬送ベルト４２及び一対のプーリ４３は、フック４４を動かす駆動部を構成する。フック４４は、紙幣束Ｂに当たる係合部を構成する。６つの開閉板４５は、一対の搬送ベルト４２と５つの第１収納部３０及び１つの第２収納部６０との間にそれぞれ設けられている。５つの仕切板４６は、６つの開閉板４５の間にそれぞれ設けられている。また、互いに隣接する第１収納部３０（図２では最も左側に位置する第１収納部３０）及び第２収納部６０にそれぞれ対応する２つの開閉板４５の間に設けられた仕切板４６の上端部には、識別部５０が配置されている。
【００５５】
図３に示すように、一対の搬送ベルト４２は、互いに離間して延伸するように配置されている。開閉板４５は、紙幣束Ｂを通過させる開状態（図３の二点鎖線で示した状態）と紙幣束Ｂを通過させない閉状態（図３の実線で示した状態）とに切り換え可能に構成されている。また、仕切板４６の上端面には、紙幣束Ｂの通過を検知するように構成された通過センサ４７が設けられている。
【００５６】
以上のような構成により、一対の搬送ベルト４２と複数の開閉板４５との間に搬送路４１が構成されている。そして、搬送路４１では、搬送ベルト４２に突設されたフック４４によって紙幣束Ｂに搬送力（搬送ベルト４２の搬送力）が加えられ、その紙幣束Ｂが閉状態の開閉板４５の上面を摺動しながら搬送される。搬送ベルト４２とフック４４の構成の詳細については、後で説明する。
【００５７】
また、図２に示すように、一対の搬送ベルト４２の間には、複数の開閉板４５と同数（この例では６つ）の押圧検知板４８が設けられている。６つの押圧検知板４８は、６つの開閉板４５とそれぞれ対向するように配置されている。押圧検知板４８は、上下方向に移動可能に構成されている。押圧検知板４８の機能については、後で説明する。
【００５８】
〈紙幣束受取動作〉
次に、図３を参照して、収納部（第１収納部３０または第２収納部６０）が搬送部４０から紙幣束Ｂを受け取る動作について説明する。図３では、第１収納部３０が搬送部４０から紙幣束Ｂを受け取る場合を例に挙げている。
【００５９】
まず、搬送部４０は、第１収納部３０に対応する開閉板４５（閉状態の開閉板４５）に紙幣束Ｂが載置されるように紙幣束Ｂを搬送する。一方、図示は省略するが、第１収納部３０では、紙幣束Ｂを受け取ることができる高さまで昇降ステージ３１が上昇する。そして、紙幣束Ｂが載置された開閉板４５が閉状態から開状態となり、開閉板４５に載置されていた紙幣束Ｂが第１収納部３０内に落下して昇降ステージ３１に載置される。このようにして、第１収納部３０は、搬送部４０から紙幣束Ｂを受け取る。次に、紙幣束Ｂが載置された昇降ステージ３１が所定位置まで降下し、開閉板４５が開状態から閉状態となる。これにより、紙幣束Ｂの収納が完了する。
【００６０】
〈紙幣引渡動作〉
次に、図４を参照して、収納部（第１収納部３０または第２収納部６０）が搬送部４０に紙幣束Ｂを引き渡す動作について説明する。図４では、第２収納部６０に隣接する第１収納部３０が搬送部４０に紙幣束Ｂを引き渡す場合を例に挙げている。
【００６１】
まず、第１収納部３０に対応する開閉板４５が閉状態から開状態となり、第１収納部３０において昇降ステージ３１が上昇する。また、開閉板４５の閉状態から開状態への切り換えに連動して押圧検知板４８が降下する。これにより、昇降ステージ３１の上昇高さを規制することができる。具体的には、上昇中の昇降ステージ３１に載置された紙幣束Ｂ（複数の紙幣束Ｂが載置されている場合は最上部の紙幣束、以下同様）によって押圧検知板４８が押し上げられると、押圧検知板４８は、昇降ステージ３１の上昇を停止させる。このとき、昇降ステージ３１に載置された紙幣束Ｂは、開閉板４５の上方に位置している。このようにして、第１収納部３０は、搬送部４０に紙幣束Ｂを引き渡す。次に、搬送ベルト４２が駆動し、搬送ベルト４２に突設されたフック４４に昇降ステージ３１に載置された紙幣束Ｂが当接する。これにより、紙幣束Ｂが搬送路４１に沿って搬送される。
【００６２】
〈制御部〉
図２に示すように、紙幣処理装置１０は、制御部７０を備えている。制御部７０は、紙幣処理装置１０の各部（この例では、第１収納部３０，搬送部４０，識別部５０，第２収納部６０）及び情報端末１００（具体的には、端末制御部２００）と通信可能に接続され、紙幣処理装置１０の各部を制御するように構成されている。具体的には、制御部７０は、紙幣処理装置１０において各種処理（出金処理，回収処理，補充処理，精査処理など）が行われるように、搬送部４０による紙幣束Ｂの搬送を制御する。例えば、制御部７０は、ＣＰＵなどの演算処理部と、演算処理部を動作させるためのプログラムや情報を記憶するメモリなどの記憶部とによって構成されている。
【００６３】
尚、紙幣処理装置１０の各部には、紙幣束の通過を検出する通過センサなどの各種センサが設けられており、これらの各種センサの検出信号は、制御部７０に送信される。そして、制御部７０は、紙幣処理装置１０において各種処理が行われるように、紙幣処理装置１０の各部及び情報端末１００から受信した信号や情報に基づいて紙幣処理装置１０の各部を制御する。具体的には、制御部７０は、搬送部４０の搬送ベルト４２と開閉板４５と押圧検知板４８を制御するとともに、出金口ステージ２２や第１収納部３０の昇降ステージ３１や識別部５０や第２収納部６０の昇降ステージ６１などを制御する。
【００６４】
また、第１収納部３０及び第２収納部６０には、それぞれ固有のＩＤが割り当てられている。そして、制御部７０は、第１収納部３０及び第２収納部６０にそれぞれ割り当てられたＩＤを記憶している。
【００６５】
〔出金処理〕
次に、図５を参照して、紙幣処理装置１０の出金処理について説明する。出金処理は、紙幣処理装置１０から紙幣束Ｂを払い出す処理のことである。制御部７０は、出金処理において、第１収納部３０に収納された紙幣束Ｂが識別部５０を通過して出金口２１または第２収納部６０に搬送されるように搬送部４０を制御する。識別部５０は、出金処理において識別部５０を通過する紙幣束Ｂの紙幣束情報を取得する。
【００６６】
図５に示すように、出金処理では、第１収納部３０に収納された紙幣束Ｂは、搬送部４０によって識別部５０に搬送され、識別部５０において紙幣束Ｂの紙幣束情報が取得される。識別部５０において取得された紙幣束情報は、制御部７０に送信される。
【００６７】
制御部７０は、識別部５０から受信した紙幣束情報に基づいて、識別部５０に搬送されてきた紙幣束Ｂが出金すべきではない紙幣束（出金リジェクト紙幣束）に該当するか否かを判定する。例えば、制御部７０は、識別部５０に搬送されてきた紙幣束Ｂに含まれる紙幣が偽券，損券，金種異常券（出金すべき金種とは異なる金種の紙幣）のうち少なくとも１つに該当することが紙幣束情報（詳しくは紙幣情報）に含まれる識別処理の結果に示されている場合、または、識別部５０に搬送されてきた紙幣束Ｂの搬送状態が異常であることが紙幣束情報に含まれる搬送状態識別処理の結果に示されている場合に、その紙幣束Ｂが出金リジェクト紙幣束に該当すると判定する。
【００６８】
次に、制御部７０は、識別部５０に搬送されてきた紙幣束Ｂが出金リジェクト紙幣束に該当すると判定すると、図５の破線の矢印で示すように、識別部５０に搬送されてきた紙幣束Ｂが第２収納部６０に搬送されるように搬送部４０を制御する。また、制御部７０は、識別部５０に搬送されてきた紙幣束Ｂが出金リジェクト紙幣束に該当しないと判定すると、図５の実線の矢印で示すように、識別部５０に搬送されてきた紙幣束Ｂが出金口２１に搬送されるように搬送部４０を制御する。
【００６９】
また、制御部７０は、出金処理において、紙幣束Ｂを出金する顧客の顧客情報を情報端末１００から取得する。具体的には、紙幣処理装置１０から紙幣束Ｂを出金しようとする顧客は、情報端末１００の操作部２０１を操作して顧客情報（例えば顧客ＩＤ）を入力する。または、紙幣処理装置１０から紙幣束Ｂを出金しようとする顧客は、その顧客が所有するカードに記憶された顧客情報（例えば顧客ＩＤ）を情報端末１００の読取部２０２に読み取らせる。情報端末１００の端末制御部２００は、操作部２０１（または読取部２０２）において取得された顧客情報（出金しようとしている顧客の顧客情報）を記憶部２０３に記憶する。そして、端末制御部２００は、紙幣処理装置１０の制御部７０から顧客情報（出金しようとしている顧客の顧客情報）の送信要求を受信すると、その送信要求に応答して記憶部２０３に記憶された顧客情報を制御部７０に送信する。
【００７０】
次に、制御部７０は、出金処理において識別部５０によって取得された紙幣束Ｂの紙幣束情報とその紙幣束Ｂを出金した顧客の顧客情報とを対応付けて記憶する。
【００７１】
このように、出金処理において、第１収納部３０に収納された紙幣束Ｂが識別部５０を通過して出金口２１または第２収納部６０に搬送されることにより、識別部５０において出金口２１または第２収納部６０に搬送される紙幣束Ｂの紙幣束情報を取得することができる。これにより、出金処理において出金口２１に搬送されて出金口２１から払い出される紙幣束Ｂを管理することができるとともに、出金処理において第２収納部６０に搬送されて出金口２１から払い出されない紙幣束Ｂを管理することができる。
【００７２】
また、出金処理において識別部５０によって取得された紙幣束Ｂの紙幣束情報と紙幣束Ｂを出金した顧客の顧客情報とを対応付けて記憶することにより、出金処理において払い出された紙幣束Ｂとその紙幣束Ｂを出金した顧客とを紐付けることができる。これにより、出金処理においてどの顧客にどのような紙幣束Ｂを払い出したのかを管理することができる。
【００７３】
〔搬送ベルトとフックの構成〕
図６は、搬送路４１に沿って水平方向に見たときの、搬送ベルト４２とフック４４とを示している。図６において一点鎖線で示す搬送ベルト４２’、及び、フック４４’はそれぞれ、本構成の搬送ベルト４２及びフック４４の比較例である。
【００７４】
前述の通り、搬送ベルト４２は、紙幣束Ｂの長手方向（つまり、図６の紙面左右方向）について互いに離間して配設される。搬送ベルト４２に取り付けられたフック４４もまた、紙幣束Ｂの長手方向について互いに離間して配設される。フック４４は、紙幣束Ｂに当たって紙幣束Ｂを搬送する。
【００７５】
ここで、図１４に示すように、紙幣ＢＮがスレッドＳを有していると、紙幣束Ｂは、図６に例示するように、長手方向に斜めに傾いてしまう場合がある。これに対し、一点鎖線で示すように、搬送ベルト４２’及びフック４４’の間隔が広いと、図６に矢印Ｐ１で示すように、フック４４’が紙幣束Ｂに当たらなくなったり、矢印Ｐ２で示すように、フック４４’の先端が、紙幣束Ｂの下面よりも下方に突出してしまったりすることが起こり得る。フック４４’が紙幣束Ｂに当たらなくなると、搬送路４１における紙幣束Ｂの搬送状態が悪くなったり、第１収納部３０から搬送部４０への紙幣束Ｂを引き渡しができなくなったりする恐れがある。また、フック４４’の先端が、紙幣束Ｂの下面よりも下方に突出してしまうと、第１収納部３０から搬送部４０へ紙幣束Ｂを引き渡すときに、フック４４’が、積み重なった二つの紙幣束Ｂの両方に当たってしまって、二つの紙幣束Ｂを、一度に搬送してしまう恐れがある。
【００７６】
これに対し、本構成の搬送ベルト４２及びフック４４は、図６に実線で示すように、搬送ベルト４２の間隔を狭くしている。搬送ベルト４２の間隔が狭くなることに伴い、隣り合う二つのフック４４は、紙幣束Ｂの長手方向に対して中央部分に位置する。尚、押圧検知板４８は、一対の搬送ベルト４２の間に位置するように、その幅が狭く構成されている。
【００７７】
また、フック４４は、その先端縁が斜めに形成されている。詳細には、フック４４の先端縁において、紙幣束Ｂの長手方向に外側は相対的に上に、中央側は相対的に下になるような斜めに形成されている。
【００７８】
フック４４が、長手方向の中央側に位置しているため、図６に示すように紙幣束Ｂが斜めに傾いたとしても、フック４４は紙幣束Ｂに確実に当たるようになる。図６に示す方向とは逆方向に紙幣束Ｂが傾いたときも、同様である。搬送路４１における紙幣束Ｂの搬送状態が悪くなったり、第１収納部３０から搬送部４０へ紙幣束Ｂを引き渡すときに、その引き渡しができなくなったりすることを回避することができる。
【００７９】
また、フック４４の先端縁を、紙幣束Ｂの傾きに沿う方向に、斜めに形成しているため、紙幣束Ｂが斜めに傾いたとしても、フック４４の先端が、紙幣束Ｂの下面よりも下方に突出してしまうことを回避することができる。図６に示す方向とは逆方向に紙幣束Ｂが傾いたときも、同様である。第１収納部３０から搬送部４０へ紙幣束Ｂを引き渡すときに、フック４４が、積み重なった二つの紙幣束Ｂを、一度に搬送してしまうことが防止される。
【００８０】
〔集積部の構成〕
図７は、紙幣処理装置１０の集積部の上端部付近を拡大して示している。前述したように、集積部は、上下方向に広がる集積空間２３の中に、出金口ステージ２２が配設されて構成されている。出金口ステージ２２は、出金口２１から払い出す紙幣束Ｂが載置される。払い出す紙幣束Ｂが二以上であると、複数の紙幣束Ｂは、出金口ステージ２２の上に積み重なる。
【００８１】
出金口２１は、集積面２２１の上において積み重なっている紙幣束Ｂの側方に設けられると共に、出金口２１は、集積面２２１の上において積み重なっている紙幣束Ｂよりも、紙幣束Ｂの搬送方向の先側（つまり、図７における左側）に設けられている。
【００８２】
出金口ステージ２２の上面は、紙幣束Ｂを積み重ねる集積面２２１として機能する。集積面２２１は、出金口２１に近い側の部分が、出金口２１に遠い側の部分よりも高くなるよう傾いている。集積面２２１の上に積み重なった紙幣束Ｂが仮に崩れたとしても、出金口２１の方に向かって崩れてしまうことを防止することができる。
【００８３】
集積部の上端部分には、紙幣処理装置１０の背面に向かう方向を向いた開口部２４が設けられている。搬送部４０によって搬送される紙幣束Ｂは、開口部２４を通過して、紙幣処理装置１０の正面に向かう方向に、集積空間２３の中へ進入する。開口部２４を通過した紙幣束Ｂが、出金口ステージ２２の上に載る。紙幣束Ｂが集積空間２３の中に送り込まれるとき、昇降する出金口ステージ２２の位置は、集積面２２１が、又は、出金口ステージ２２の上に紙幣束Ｂが置かれているときには紙幣束Ｂの最上面が、開口部２４の下端縁に対して、所定の距離Ｈだけ低い特定位置となるように調整される。
【００８４】
搬送部４の搬送ベルト４２が巻き掛けられたプーリ４３は、開口部２４の近傍に配設されている。紙幣束Ｂは、前述の通り、搬送部４が紙幣束Ｂに搬送力を加えることによって、搬送路４１に沿って水平方向に搬送され、最終的には、フック４４が紙幣束Ｂから離れる。紙幣束Ｂは、慣性力によって、開口部２４を通過しかつ、出金口ステージ２２の上に積み重なる。
【００８５】
搬送路４１と開口部２４との間には、誘導部が設けられている。誘導部は、ガイド部材を有している。ガイド部材は、図７及び図８に例示するように、斜め上向きに傾斜した傾斜板５１によって構成されている。傾斜板５１は、平らな板状の部材である。傾斜板５１の基端（図７における右端）は、搬送路４１の端に連続している。傾斜板５１の先端（図７における左端）は、開口部２４の下端縁の近傍に位置している。傾斜板５１の傾斜角度θ（図８参照）は、適宜の角度に設定することが可能である。傾斜角度θは、例えば１５度程度にしてもよい。傾斜板５１は、紙幣束Ｂの長手方向に広がっている。紙幣束Ｂの下面が、傾斜板５１の上面に当たる。
【００８６】
紙幣束Ｂは、傾斜板５１の上面に沿って移動をする。傾斜板５１は、図８に一点鎖線で示すように、開口部２４に向かって移動する紙幣束Ｂの姿勢を、斜め上向きに変更すると共に、開口部２４を通過するときに紙幣束Ｂの移動方向を、斜め上方向に変更する（図７の矢印参照）。傾斜板５１の上面は、紙幣束Ｂを誘導する誘導面を構成する。傾斜板５１は、紙幣束Ｂの移動方向を、略水平方向である搬送方向から、斜め上方向である誘導方向へと変化させる。誘導方向は、言い換えると、搬送方向に対して、集積済みの紙幣束Ｂから離れる方向へ曲げられた方向である。
【００８７】
傾斜板５１が、開口部２４に向かって移動する紙幣束Ｂの姿勢を、斜め上向きに変更すると共に、開口部２４を通過するときに紙幣束Ｂの移動方向を、斜め上方向に変更することにより、これから積み重なろうとする紙幣束Ｂ２の先端（搬送方向の先端であり、図７における左端）が出金口ステージ２２の上に既に集積している紙幣束Ｂ１の上面に接触するまでに、紙幣束Ｂ２が移動する距離が長くなる。紙幣束Ｂ２の先端は、開口部２４から離れた位置で、紙幣束Ｂ１の上面に接触する。
【００８８】
図１５は、搬送路４１と開口部２４との間に、傾斜板５１ではなく水平方向に伸びる水平板５２を設けた従来の集積部の構成を示している。この構成では、紙幣束Ｂの姿勢が斜め上向きに変更されないと共に、紙幣束Ｂの移動方向が斜め上方向に変更されない。これから積み重なろうとする紙幣束Ｂ２が、慣性力によって移動をし、紙幣束Ｂ１の上に到達するまでの間に、紙葉類束Ｂ２が、略水平方向へ移動する距離が短くなる。その結果、従来の集積部においては、紙幣束Ｂ２の先端が、紙幣束Ｂ１の上面に接触する位置が、図７の構成例と比較して、開口部２４に近い位置になる。紙幣束Ｂ２は、紙幣束Ｂ１の上面に滑りながら移動をして、紙幣束Ｂ１の上に積み重なるが、滑りながら移動をする距離Ｌが長くなってしまう。
【００８９】
ここで、紙幣束Ｂの結束帯ＢＵは、図１４に一点鎖線で示すように、端がめくれ上がる場合がある。紙幣束Ｂ２が紙幣束Ｂ１の上面に滑りながら移動するときに、紙幣束Ｂ１の結束帯ＢＵと、紙幣束Ｂ２とが干渉することによって、紙幣束Ｂの集積状態が乱れてしまうことが起こり得る。尚、二つの紙幣束Ｂの間の干渉は、結束帯ＢＵと結束帯ＢＵとの間、又は、結束帯ＢＵと紙幣ＢＮとの間、又は、スレッドＳが設けられている紙幣ＢＮにおいては、紙幣ＢＮと紙幣ＢＮとの間において起こり得る。尚、スレッドＳが設けられている紙幣ＢＮに限らず、凹凸部分が設けられている紙幣ＢＮ、例えば紙素材とポリマー素材とを組み合わせた紙幣ＢＮや、凹凸印刷が施された紙幣ＢＮ等においても、紙幣ＢＮと紙幣ＢＮとの間において干渉が起こり得る。
【００９０】
従来の集積部の構成では、前述したように、滑りながら移動をする距離Ｌが長くなってしまうから、紙幣束Ｂ同士の干渉が起きやすくなる。
【００９１】
これに対し、図７及び図８に示す構成の集積部は、紙幣束Ｂ２の先端が、紙幣束Ｂ１の上面に接触する位置が、開口部２４から離れた位置になるため、紙幣束Ｂ２が、紙幣束Ｂ１の上面に滑りながら移動をする距離が短い。その結果、紙幣束Ｂ同士の干渉が抑制される。また、紙幣束Ｂ２の先端は、紙幣束Ｂ１の結束帯ＢＵの端の部分を超えた位置において、紙幣束Ｂ１の上面に接触するようになるため、結束帯ＢＵの端がめくれ上がっていたとしても、紙幣束Ｂ２は、紙幣束Ｂ１の結束帯ＢＵとは干渉しない。よって、紙幣束Ｂ２は、紙幣束Ｂ１の上に確実に積み重なることができ、出金口ステージ２２の上において、紙幣束Ｂの集積状態が乱れてしまうことが防止される。
【００９２】
また、出金口ステージ２２の高さを、積み重なっている紙幣束Ｂの数に応じて調整し、その最上面の位置を、高さ方向に、開口部２４に対して所定の距離Ｈだけ低い特定位置にすることで、紙幣束Ｂ２を、既に集積している紙幣束Ｂの上に適切に重ねることができる。出金口ステージ２２の上で、紙幣束Ｂを、揃った状態で積み重ねることができる。
【００９３】
また、集積部に進入する紙幣束Ｂは、出金口２１に向かう方向に進入するため、慣性力によって移動をして出金口ステージ２２の上で積み重なる紙幣束Ｂは、出金口２１に近い位置において集積しやすくなるが、出金口ステージ２２の集積面２２１が傾いているため、集積面２２１の上で積み重なった紙幣束Ｂが、出金口２１の方に崩れてしまうことを防止することができる。
【００９４】
〈誘導部の変形例〉
図９は、誘導部の変形例を示している。ガイド部材は、板状の部材ではなく、一対のレール５３によって構成されている。一対のレール５３は、搬送路４１と開口部２４との間において、紙幣束Ｂの長手方向の両端に設けられている。レール５３は、横断面視で、横に倒したＵの字状に構成されている。一対のレール５３は、紙幣束Ｂの両端部を、厚み方向に挟むようにして、紙幣束Ｂの移動方向を案内する。
【００９５】
レール５３は、水平方向に伸びる搬送路４１に対し、所定の角度θだけ上向きに傾いて設けられている。搬送路４１に沿って水平方向に移動をする紙幣束Ｂは、レール５３に沿って移動をする結果、紙幣束Ｂの姿勢は斜め上向きに変更されると共に、移動方向が斜め上方向に変更される。これにより、図７及び図８に示す構成例と同様に、慣性力によって移動をする紙幣束Ｂの移動距離が長くなり、紙幣束Ｂの先端が出金口ステージ２２の上に集積した紙幣束Ｂに接触するときの位置が、開口部２４から離れた位置になる。その結果、紙幣束Ｂ同士が干渉し合うことが防止され、紙幣束Ｂを、確実に積み重ねることができる。
【００９６】
尚、誘導部が有するガイド部材の構成及び形状は、図８又は図９に例示する構成及び形状以外にも、様々な構成、及び、様々な形状を採用することが可能である。
【００９７】
〈集積部の変形例〉
ここで、誘導部は、集積部の手前に設ける構成でなくても、集積部の中に設けてもよい。例えば図１０は、図７とは配置が異なる誘導部の例を示している。図７の構成に付した符号に対応する要素については、同じ符号を付している。図１０に示す集積部は、図７に示す集積部よりも水平方向に大きくなっている。そのため、誘導部を構成する傾斜板５１は、集積部の中、つまり、集積空間２３の中に設けられている。傾斜板５１は、開口部２４の一部を構成する、ということもできる。
【００９８】
この構成においても、紙幣束Ｂが、傾斜板５１の上面に沿って移動をすることにより、図１０に矢印で示すように、紙幣束Ｂの姿勢が斜め上向きに変更されると共に、紙幣束Ｂの移動方向が斜め上方向に変更されるから、慣性力によって移動する紙幣束Ｂ２の先端が紙幣束Ｂ１の上面に接触する位置が、開口部２４から離れた位置になる。その結果、紙幣束Ｂ同士が干渉し合うことが防止され、紙幣束Ｂを、確実に積み重ねることができる。
【００９９】
〈補助ガイドの適用例〉
図１１及び図１２は、集積部の変形例を示している。図１１及び図１２の集積部の構成は、補助ガイド５４を備えていることを除いて、図７の集積部の構成と同じである。
【０１００】
補助ガイド５４は、集積部の集積空間２３の中に設けられている。補助ガイド５４は、集積空間２３を形成する側壁に取り付けられている。詳細には、紙幣束Ｂの長手方向（図１１における紙面に直交する方向に相当する）の両側に位置する側壁のそれぞれに取り付けられている。図１１では、一方の側壁に取り付けられた補助ガイド５４のみを示し、他方の側壁に取り付けられた補助ガイド５４の図示を省略している。補助ガイド５４は、開口部２４から離れた位置に取り付けられている。
【０１０１】
補助ガイド５４は、平らな板状の部材である。補助ガイド５４は、その基端部が、水平方向に伸びる軸５４１を中心として回動するよう構成されている。補助ガイド５４は、側壁に対して直交するように広がる案内位置（図１１の実線参照）と、側壁に沿って広がる退避位置（図１１の一点鎖線参照）との間で、回動することが可能である。
【０１０２】
図１１の集積部は、図７の集積部と比較して、紙幣束Ｂを積み重ねるときの、出金口ステージ２２の位置が下方に位置している。これは、補助ガイド５４が回動するときに、出金口ステージ２２、又は、出金口ステージ２２上に積まれた紙幣束Ｂと、補助ガイド５４とが当たってしまうことを回避するためである。
【０１０３】
図１２の左図に示すように、紙幣束Ｂが集積部に入るときに、補助ガイド５４は案内位置に位置している。補助ガイド５４は、開口部２４と、出金口ステージ２２上に積まれた紙幣束Ｂとの間に位置する。前述したように、傾斜板５１によって姿勢が上向きに変更されると共に、移動方向が上方向に変更された紙幣束Ｂ２は、その先端が、出金口ステージ２２の上に集積されている紙幣束Ｂ１の上面に接触する前に、補助ガイド５４に係合する。
【０１０４】
その後、図１２の右図に示すように、補助ガイド５４は、退避位置に回動する。紙幣束Ｂ２は、補助ガイド５４と一時的に係合することにより姿勢が変化するため、紙幣束Ｂ２の先端が、紙幣束Ｂ１の上面には、ほとんど滑らずに、紙幣束Ｂ１の上に重なることができる。補助ガイド５４を用いることによって、紙幣束Ｂの集積状態を、良好にすることができる。
【０１０５】
（出納機）
ここに開示する技術は、図１に示す紙幣処理装置１０に適用することに限らない。図１３は、別の適用例を示している。図１３は、紙葉類処理装置としての紙幣束処理ユニット８０の構成を示している。紙幣束処理ユニット８０は、例えば銀行といった金融機関等に設置される出納機の一部を構成する。尚、図示は省略するが、出納機は、紙幣束処理ユニット８０の他に、バラ紙幣を処理するバラ紙幣処理ユニット、バラ硬貨を処理するバラ硬貨処理ユニット、及び、包装硬貨を処理する包装硬貨処理ユニットを少なくとも備えている。これら紙幣束処理ユニット８０、バラ紙幣処理ユニット、バラ硬貨処理ユニット、及び、包装硬貨処理ユニットは、隣り合って配設されていると共に、その内部において互いにつながっている。
【０１０６】
紙幣束処理ユニット８０は、バラ紙幣処理ユニットにおいて集積された紙幣を紙幣束Ｂに結束する機能、作成した紙幣束Ｂを入出金口８１又は投出口８２から出金する機能、作成した紙幣束Ｂを収納部８３に収納する機能、収納部８３に収納していた紙幣束Ｂを入出金口８１又は投出口８２から出金する機能、入出金口８１から入金された紙幣束Ｂを収納部８３に収納する機能を、少なくとも有している。
【０１０７】
図１３に示す紙幣束処理ユニット８０において、その前部には、上下方向に伸びる移動スペース８４が設けられている。移動スペース８４にはリフト８４１が配設されている。リフト８４１は、移動スペース８４の中を昇降するよう構成されている。リフト８４１の上に、紙幣束Ｂが積み重なる。リフト８４１の上面は、紙幣束Ｂが積み重なる集積面を構成している。紙幣束処理ユニット８０においては、移動スペース８４とリフト８４１とによって集積部が構成されている。
【０１０８】
入出金口８１は、紙幣束処理ユニット８０の前部の上部に設けられている。入出金口８１は、移動スペース８４と連通している。入出金口８１を通じて入金又は出金する紙幣束Ｂは、リフト８４１の上に載せられる。入出金口８１は、シャッタによって開閉する。
【０１０９】
投出口８２は、紙幣束処理ユニット８０の前部の下部に設けられている。投出口８２も、移動スペース８４と連通している。リフト８４１の上に載せられた紙幣束Ｂが、投出口８２から払い出される。
【０１１０】
紙幣束処理ユニット８０の下部には、複数の収納部８３と第１搬送部８５とが配設されている。収納部８３及び第１搬送部８５の構成は、前述した紙幣処理装置１０の第１収納部３０及び搬送部４０の構成と実質的に同じである。つまり、各収納部８３は、紙幣束Ｂを収納すると共に、収納している紙幣束Ｂを繰り出すよう構成されている。第１搬送部８５は、移動スペース８４と、各収納部３８３を接続する搬送路８５１とを有している。第１搬送部８５は、搬送部４０と同様に、前後一対のプーリ８５２、８５３に巻き掛けられた搬送ベルト８５４と、搬送ベルト８５４に取り付けられたフック８５５とを備えており、紙幣束Ｂを、移動スペース８４と各収納部８３との間で、搬送路８５１に沿って水平方向に搬送する。
【０１１１】
ここで、紙幣束処理ユニット８０においては、図２の紙幣処理装置１０とは異なり、第１搬送部８５とリフト８４１との間で相互に、紙幣束Ｂ１の受け渡しを行うため、第１搬送部８５の搬送ベルト８５４は、移動スペース８４にまで伸びている。第１搬送部８５は、前後一対のプーリ８５２、８５３の間に配設された支点ローラー８５７を有している。前側のプーリ８５２は、支点ローラー８５７を支点として回動するよう構成されている。前側のプーリ８５２は、移動スペース８４の中に位置する状態（図１２の実線参照）と、移動スペース８４の外に位置する状態（図１２の二点鎖線参照）とに位置を変更する。前側のプーリ８５２が移動スペース８４の中に位置する状態は、第１搬送部８５がリフト８４１から紙幣束Ｂを受け取るとき、及び、第１搬送部８５がリフト８４１に紙幣束Ｂを送り出すときである。前側のプーリ８５２が移動スペース８４の外に位置する状態は、リフト８４１が移動スペース８４内を昇降するときである。
【０１１２】
紙幣束処理ユニット８０の上部には、アーム部８６と、結束部８７とが設けられている。アーム部８６は、バラ紙幣処理ユニットにおいて集積された紙幣の束を取り出して、紙幣束処理ユニット８０に運ぶ。結束部８７は、アーム部８６によって取り出された紙幣の束を、結束帯によって結束する。結束部８７は、作成した紙幣束Ｂを搬送する第２搬送部８８を備えている。第２搬送部８８は、上下一対のベルトユニット８８１を含んで構成されている。各ベルトユニット８８１は、プーリの間に巻き掛けられたベルトを有している。第２搬送部８８は、一対のベルトユニット８８１の間に紙幣束Ｂを挟んだ状態で、紙幣束Ｂを、移動スペース８４に向かって搬送する。ベルトユニット８８１は、搬送路を構成する。
【０１１３】
各ベルトユニット８８１は、略水平方向に伸びている。ベルトユニット８８１の前端部には、上向きに傾いた誘導部８８２が設けられている。つまり、第２搬送部８８は、紙幣束Ｂ２を略水平方向に搬送すると共に、誘導部８８２において、紙幣束Ｂの姿勢を斜め上向きに変更すると共に、紙幣束Ｂの移動方向を斜め上方向に変更する（図１３の矢印参照）。第２搬送部８８から送り出された紙幣束Ｂは、慣性力によって移動をし、移動スペース８４内の所定位置に位置づけられたリフト８４１の上、又は、リフト８４１の上に集積されている紙幣束Ｂの上に積み重なる。リフト８４１の高さ方向の位置が調整されることは、前記出金口ステージ２２と同じである。
【０１１４】
このように、詳細な図示は省略するが、紙幣束処理ユニット８０において、第２搬送部８８は、誘導部８８２によって、紙幣束Ｂの姿勢を斜め上向きに変更すると共に、紙幣束Ｂの移動方向を斜め上方向に変更するから、前記と同様に、これから積み重なろうとする紙幣束Ｂの先端が、リフト８４１の上に既に集積している紙幣束Ｂの上面に接触する位置を、ベルトユニット８８１の前端から離れた位置にすることができる。その結果、紙幣束Ｂが、紙幣束Ｂの上面に滑りながら移動をする距離が短くなり、紙幣束Ｂ同士が干渉し合うことが防止される。紙幣束処理ユニット８０においても、紙幣束Ｂを、リフト８４１の上に、確実に積み重ねることができる。
【０１１５】
尚、前述した第２搬送部８８に対して、図７等に示す傾斜板５１や、図９に示すレール５３を組み合わせてもよい。その際に、ベルトユニット８８１の前端部に、誘導部８８２を設けると共に、傾斜板５１又はレール５３を、誘導部８８２の前側に配設してもよいし、ベルトユニット８８１の前端部を上向きに傾けないで（つまり、誘導部８８２を設けないで）、傾斜板５１又はレール５３を、第２搬送部８８と移動スペース８４との間に配設してもよい。
【０１１６】
また、紙幣束処理ユニット８０の第１搬送部８５に、誘導部を設けるようにしてもよい。誘導部は、図７等に示す傾斜板５１や、図９に示すレール５３を採用してもよい。また、第１搬送部８５における誘導部を、第２搬送部８８の誘導部８８２と同様に、一対のベルトユニット８８１によって構成してもよい。さらに、第１搬送部８５において、誘導部８８２と、傾斜板５１又はレール５３とを組み合わせてもよい。
【０１１７】
（その他の実施形態）
尚、前記においては、ここに開示する技術を、紙幣処理装置１０において、紙幣束Ｂを出金するための集積部（つまり、払出部）や、紙幣束処理ユニット８０において、紙幣束を出金するための集積部（つまり、払出部）に適用している。ここに開示する技術は、装置内において、紙幣束Ｂを積み重ねて収納する収納部に適用することも可能である。ここでいう収納部としては、紙幣束Ｂの収納のみを行い、収納した紙幣束Ｂを繰り出さない収納部としてもよいし、紙幣束Ｂの収納と、収納した紙幣束Ｂの繰り出しとを行う収納部としてもよい。
【０１１８】
さらに、ここに開示する技術は、紙幣束Ｂについて、次の処理を行うために一時的に積み重ねる集積部（例えば紙幣束Ｂを重ねて大束紙幣を作成するために、紙幣束Ｂを、一時的に積み重ねる集積部等）に適用することも可能である。
【０１１９】
加えて、ここに開示する技術は、紙幣束Ｂの長手の縁を前にして搬送するよう構成された装置に適用する以外にも、紙幣束Ｂの短手の縁を前にして搬送するよう構成された装置に適用することも可能である。
【０１２０】
また、紙幣束Ｂは、図１４に示すように、紙幣ＢＮを結束帯ＢＵによって結束する形態に限らず、複数の紙幣ＢＮを袋に入れることによって構成される紙幣束としてもよい。
【０１２１】
ここに開示する技術は、紙幣の処理を行う装置に限らず、小切手や商品券等の有価媒体を含む紙葉類の束を処理する装置に、広く適用することが可能である。
【０１２２】
以上の実施形態や変形例を適宜組み合わせて実施してもよい。以上の実施形態や変形例は、本質的に好ましい例示であって、ここに開示する技術、その適用物、あるいはその用途の範囲を制限することを意図するものではない。
【符号の説明】
【０１２３】
１０  紙幣処理装置（紙葉類処理装置）
２１  出金口（払出口）
２２  出金口ステージ（集積部）
２２１  集積面
２３  集積空間（集積部）
４０  搬送部
４１  搬送路
４２  搬送ベルト（駆動部）
４３  プーリ
４４  フック（係合部）
５１  傾斜板（ガイド部材、誘導部）
５３  レール（ガイド部材、誘導部）
５４  補助ガイド
８０  紙幣束処理ユニット（紙葉類処理装置）
８１  入出金口（払出口）
８４  移動スペース（集積部）
８４１  リフト（集積部）
８５  第１搬送部
８５１  搬送路
８８  第２搬送部
８８１  ベルトユニット（搬送路）
８８２  誘導部
Ｂ  紙幣束（紙葉類束）
ＢＮ  紙幣（紙葉類）
ＢＵ  結束帯
【図１】
2018198015.tif 000003
【図２】
2018198015.tif 000004
【図３】
2018198015.tif 000005
【図４】
2018198015.tif 000006
【図５】
2018198015.tif 000007
【図６】
2018198015.tif 000008
【図７】
2018198015.tif 000009
【図８】
2018198015.tif 000010
【図９】
2018198015.tif 000011
【図１０】
2018198015.tif 000012
【図１１】
2018198015.tif 000013
【図１２】
2018198015.tif 000014
【図１３】
2018198015.tif 000015
【図１４】
2018198015.tif 000016
【図１５】
2018198015.tif 000017